(57)【特許請求の範囲】
【請求項１】
映像信号中に規定ビット数の音声信号を重畳した２系統のデジタル放送の番組情報信号を入力し、切替信号に応じてフェーディング処理を行なった後、一方の信号を送出信号として選択的に導出するデジタル放送番組情報処理装置において、
各系統に設けられ、前記番組情報信号から前記音声信号を抽出し、この音声信号を互いに規定ビット数内で特定したｐ（ｐは自然数）ビットを有する複数のブロックに分割して前記番組情報信号に重畳する第１の信号分割手段及び第２の信号分割手段と、
前記第１の信号分割手段の出力から前記第２の信号分割手段の出力を減算する減算手段と、
前記減算手段の出力に前記切替信号に応じて定まる係数を乗算して前記複数のブロックのそれぞれに関する第１参照値を算出する第１参照値生成手段と、
前記第２の信号分割手段の出力から前記複数のブロックのそれぞれに関する第２参照値を算出する第２参照値生成手段と、
前記第１参照値生成手段の出力と前記第２参照値生成手段の出力とを加算して前記送出信号を生成する送出信号生成手段と、
この送出信号生成手段による加算出力から前記音声信号を再構成する素材情報再構成手段とを具備することを特徴とするデジタル放送番組情報処理装置。
【請求項２】
映像信号中に規定ビット数の音声信号を重畳した２系統のデジタル放送の番組情報信号を入力し、切替信号に応じてフェーディング処理を行なった後、一方の信号を送出信号として選択的に導出するデジタル放送番組情報処理装置において、
無効なデータを発生する無効データ発生手段と、
前記番組情報信号と前記無効データ発生手段の出力とを第１及び第２の系統に交互に切り替え出力する入力切替手段と、
前記第１の系統に設けられ、前記番組情報信号から前記音声信号を抽出し、この音声信号を互いに規定ビット数内で特定したｐ（ｐは自然数）ビットを有する複数のブロックに分割して前記番組情報信号に重畳する第１の信号分割手段と、
前記第２の系統に設けられ、前記番組情報信号から前記音声信号を抽出し、この音声信号を互いに規定ビット数内で特定したｐ（ｐは自然数）ビットを有する複数のブロックに分割して前記番組情報信号に重畳する第２の信号分割手段と、
前記第１の信号分割手段の出力から前記第２の信号分割手段の出力を減算する減算手段と、
前記減算手段の出力に前記切替信号に応じて定まる第１の係数を乗算して前記複数のブロックのそれぞれに関する第１参照値を算出する第１参照値生成手段と、
前記第２の信号分割手段の出力から前記複数のブロックのそれぞれに関する第２参照値を算出する第２参照値生成手段と、
前記第１参照値生成手段の出力と前記第２参照値生成手段の出力とを加算して前記送出信号を生成する送出信号生成手段と、
この送出信号生成手段による加算出力から前記音声信号を再構成する素材情報再構成手段と、
系統切替時に、切替先の系統に番組情報信号を入力し、切替元の系統に前記無効データ発生手段で発生される出力データを入力するように前記入力切替手段を切り替える切替制御手段とを具備することを特徴とするデジタル放送番組情報処理装置。
【請求項３】
前記番組情報信号の信号レベルを所定レベルとなるように自動調整する信号レベル調整装置をさらに具備する場合に、
前記第１及び第２の系統の番組情報信号中から抽出したそれぞれの音声信号を前記信号レベル調整装置に選択的に導出する第１の切替手段と、
前記信号レベル調整装置の出力から前記第１の系統の音声信号に対応する第１の補正係数及び前記第２の系統の音声信号に対応する第２の補正係数を生成する補正係数生成手段と、
この補正係数生成手段により生成された第１の補正係数及び第２の補正係数を選択的に導出する第２の切替手段と、
この第２の切替手段により出力された第１の補正係数及び第２の補正係数のいずれか一方と前記切替信号に応じて定まる第２の係数を加算して前記第１参照値生成手段に与えるべき第１の係数を生成する係数生成手段と、
前記切替信号が入力されたとき、前記第１及び第２の切替手段を切替先の系統を選択するように切り替える制御手段とを備えることを特徴とする請求項２記載のデジタル放送番組情報処理装置。
【請求項４】
前記素材情報再構成手段は、前記送出信号生成手段から出力された前記複数のブロックのそれぞれに関する加算値に前記ブロックに応じて定まる桁乗数を乗算して前記複数のブロックのそれぞれに関する第３参照値を算出した後、これら第３参照値の総和を算出することで、前記音声信号を再構成することを特徴とする請求項１または２記載のデジタル放送番組情報処理装置。
【発明の詳細な説明】
【０００１】
【発明の属する技術分野】
この発明は、デジタル放送番組送出システムに係り、特に２系統の映像信号及び音声信号の切替制御技術に関する。
【０００２】
【従来の技術】
従来より、放送送出設備にあっては、放送すべき番組情報信号の切り替え、同期化、多重化などの信号処理を施している。ここで、番組切替時や臨時情報の差し替え時等においては、切替元となる番組情報信号の信号レベルを徐々に下げ、切替先となる番組情報信号の信号レベルを徐々に上げていくような信号レベル調整を行なう必要がある。このため、フェーディング・アンプ（ＦＡ）回路といった信号レベル調整回路が用いられている。
【０００３】
ところで、従来のアナログ放送の放送送出設備では、映像信号系と音声信号系とで別々の信号系統により信号処理を行なっているため、それぞれの系統に専用のＦＡ回路を設けるだけで十分であった。
【０００４】
しかしながら、デジタル放送の放送送出設備では、映像信号中に音声信号が重畳されて信号処理を施しているため、アナログ放送のように各系統にＦＡ回路を設けるわけにはいかず、このＦＡ回路の他に、映像信号と音声信号とを分離する信号分離回路を設ける必要がある。このため、システムの構成が大掛かりなものになるとともに、設備の投資負担が大きくなるという問題が生じている。
【０００５】
【発明が解決しようとする課題】
以上述べたように、デジタル放送の放送送出設備では、映像信号中に音声信号が重畳されて信号処理を施しているため、アナログ放送の技術をそのまま適用できず、さらに映像信号と音声信号とを分離する信号分離回路が必要となるため、システムの構成が大掛かりなものとなるとともに、コストアップも招いてしまうことになる。
【０００６】
この発明の目的は、映像信号中に音声信号を重畳したデジタル放送の番組情報信号に対し映像信号と音声信号とに分離すること無しに番組切替や情報差し替えに応じた信号レベル調整を行なうことが可能で、しかもシステムの低コスト化を図ることが可能なデジタル放送番組情報処理装置を提供することにある。
【０００７】
【課題を解決するための手段】
第１の発明は、第１の素材情報信号中に規定ビット数の第２の素材情報信号を重畳した２系統のデジタル放送の番組情報信号を入力し、系統切替信号に応じてフェーディング処理を行なった後、一方の信号を送出信号として選択的に導出するデジタル放送番組情報処理装置を対象にしている。
【０００８】
そして、上記目的を達成するために、各系統に設けられ、番組情報信号から第２の素材情報信号を抽出し、この第２の素材情報信号を互いに規定ビット数内で特定したｐ（ｐは自然数）ビットを有する複数のブロックに分割して前記番組情報信号に重畳する第１の信号分割手段及び第２の信号分割手段と、第１の信号分割手段の出力から第２の信号分割手段の出力を減算する減算手段と、減算手段の出力に系統切替信号に応じて定まる係数を乗算して複数のブロックのそれぞれに関する第１参照値を算出する第１参照値生成手段と、第２の信号分割手段の出力から複数のブロックのそれぞれに関する第２参照値を算出する第２参照値生成手段と、第１参照値生成手段の出力と第２参照値生成手段の出力とを加算して送出信号を生成する送出信号生成手段と、この送出信号生成手段による加算出力から第２の素材情報信号を再構成する素材情報再構成手段とを備えるようにしたものである。
【０００９】
なお、上記素材情報再構成手段は、送出信号生成手段から出力された複数のブロックのそれぞれに関する加算値にブロックに応じて定まる桁乗数を乗算して複数のブロックのそれぞれに関する第３参照値を算出した後、これら第３参照値の総和を算出することで、第２の素材情報信号を再構成することを特徴とする。
【００１０】
また、第１の素材情報信号が所定ライン数の映像信号である場合に、第２の素材情報信号は、映像信号のライン毎に重畳された音声信号であることを特徴とする。
【００１１】
この第１の発明では、各系統の番組情報信号中の音声信号を規定ビット数内で特定したｐビットの複数ブロックに分割しておくようにし、第１の系統の番組情報信号から第２の系統の番組情報信号を減算し、この減算出力に系統切替信号に応じて定まる係数を乗算して複数ブロックのそれぞれに関する第１参照値を求め、これら第１参照値と第２の系統の番組情報信号から求められた複数ブロックのそれぞれに関する第２参照値とを加算して、この加算出力から切替前と切替後とで綺麗につながり、情報に乱れを生じさせない映像信号が生成される。そして、これら複数ブロックのそれぞれに関する第１参照値と第２参照値との加算値にブロックに応じて定まる桁乗数を乗算した複数ブロックのそれぞれに関する第３参照値を求め、これら第３参照値の総和を求めることにより、元のビット構成の音声信号が生成される。
【００１２】
従って、映像信号と音声信号とで１つの信号レベル調整回路を共用することができ、しかも映像信号及び音声信号を重畳した番組情報信号をそのまま入力するだけで、映像と音声とを個別に処理する信号処理を実現できる。よって、システム構成を簡素化でき、しかも低コスト化及び信頼性の向上を図ることができる。
【００１３】
また、第２の発明では、上記対象において、無効なデータを発生する無効データ発生手段と、番組情報信号と無効データ発生手段の出力とを第１及び第２の系統に交互に切り替え出力する入力切替手段と、第１の系統に設けられ、番組情報信号から第２の素材情報信号を抽出し、この第２の素材情報信号を互いに規定ビット数内で特定したｐ（ｐは自然数）ビットを有する複数のブロックに分割して前記番組情報信号に重畳する第１の信号分割手段と、第２の系統に設けられ、番組情報信号から第２の素材情報信号を抽出し、この第２の素材情報信号を互いに規定ビット数内で特定したｐ（ｐは自然数）ビットを有する複数のブロックに分割して前記番組情報信号に重畳する第２の信号分割手段と、第１の信号分割手段の出力から第２の信号分割手段の出力を減算する減算手段と、減算手段の出力に系統切替信号に応じて定まる第１の係数を乗算して複数のブロックのそれぞれに関する第１参照値を算出する第１参照値生成手段と、第２の信号分割手段の出力から複数のブロックのそれぞれに関する第２参照値を算出する第２参照値生成手段と、第１参照値生成手段の出力と第２参照値生成手段の出力とを加算して送出信号を生成する送出信号生成手段と、この送出信号生成手段による加算出力から第２の素材情報信号を再構成する素材情報再構成手段と、系統切替時に、切替先の系統に番組情報信号を入力し、切替元の系統に無効データ発生手段で発生される出力データを入力するように前記入力切替手段を切り替える切替制御手段とを備えるようにしたものである。
【００１４】
この第２の発明では、第１の系統運用時に、第１の系統に番組情報信号を入力し、第２の系統に黒味もしくは無音等の無効データを入力するようにし、第２の系統への切り替え時に、第２の系統に番組情報信号を入力し、第１の系統に無効データを入力するように切り替えている。
【００１５】
従って、上記第１の発明と同様の作用効果に加えて、他の系統による影響を受けることなくフェーディング処理動作を続けることができる。
【００１６】
また、この第２の発明において、第２の素材情報信号の信号レベルを所定レベルとなるように自動調整する信号レベル調整装置をさらに具備する場合に、第１及び第２の系統の番組情報信号中から抽出したそれぞれの第２の素材情報信号を信号レベル調整装置に選択的に導出する第１の切替手段と、信号レベル調整装置の出力から第１の系統の番組情報信号に対応する第１の補正係数及び第２の系統の番組情報信号に対応する第２の補正係数を生成する補正係数生成手段と、この補正係数生成手段により生成された第１の補正係数及び第２の補正係数を選択的に導出する第２の切替手段と、この第２の切替手段により出力された第１の補正係数及び第２の補正係数のいずれか一方と系統切替信号に応じて定まる第２の係数を加算して第１参照値生成手段に与えるべき第１の係数を生成する係数生成手段と、系統切替信号が入力されたとき、第１及び第２の切替手段を切替先の系統を選択するように切り替える制御手段とを備えることを特徴とする。
【００１７】
この構成では、入力される音声信号のレベルを一定レベルに維持するために、運用系統側の音声信号を信号レベル調整装置に入力し、この信号レベル調整装置の出力から運用系統に対応する補正係数を生成して、第１参照値を生成する乗算器の係数に加えることにより、出力音声信号のレベルを一定に制御することが可能となる。ただし、系統切替や臨時情報差し替え等のフェーディング処理が要求される時に、信号レベル調整装置により自動的に一定レベルに調整されてしまうと、送出信号に悪影響を与えてしまうことになり、このため、信号レベル調整装置による制御は、番組情報信号の切り替えやフェーディング処理を行なわない定常期間だけに動作期間を限定する必要がある。そこで、上記定常期間においては、運用系統に番組情報信号を入力し、他の系統に無効データを入力するようにすれば、運用系統側の番組情報信号中の音声信号のみに信号レベル制御を施すことが可能となる。
【００１８】
【発明の実施の形態】
以下、この発明のいくつかの実施形態について図面を参照して詳細に説明する。
【００１９】
図１はこの発明のデジタル放送番組情報処理装置を備えたデジタル放送局内システムの要部構成を示すブロック図である。
【００２０】
このシステムは、同図に示すように、スイッチャー（ＳＷ）１１と、番組素材送出制御装置（ＡＰＣ）１２と、映像エンコーダ（映像ＥＮＣ）１３と、音声エンコーダ（音声ＥＮＣ）１４と、マルチプレクサ（ＭＵＸ）１５と、多重制御装置（ＳＣＳ）１６と、データサーバ（ＤＳ）１７と、フェーディング・アンプ（ＦＡ）１８とを備えている。
【００２１】
スイッチャー１１は、各種の番組素材信号を選択的に出力する。
【００２２】
番組素材送出制御装置１２は、データサーバ１７から提供される番組編成データに基づいて、スイッチャー１１及びフェーディング・アンプ１８を制御する。
【００２３】
映像エンコーダ１３は、フェーディング・アンプ１８から出力される映像信号をＭＰＥＧ２符号化方式に基づく可変長圧縮符号化を施し、ＭＰＥＧ２トランスポートストリームパケットに変換する。
【００２４】
音声エンコーダ１４は、フェーディング・アンプ１８から出力される音声信号をＭＰＥＧ２符号化方式に基づく可変長圧縮符号化を施し、ＭＰＥＧ２トランスポートストリームパケットに変換する。
【００２５】
マルチプレクサ１５は、各エンコーダ１３、１４の出力パケットに各種制御データをパケット多重して、デジタル放送ＴＳとして送出する。
【００２６】
多重制御装置１６は、データサーバ１７からの番組編成データに基づいて、マルチプレクサ１５を制御する。
【００２７】
（第１の実施形態）
この実施形態は、図１におけるフェーディング・アンプ１８に関するものである。
【００２８】
図２は、この発明に係るデジタル放送番組情報処理装置の第１の実施形態として、フェーディング・アンプ１８の具体的な構成を示すブロック図である。
【００２９】
このフェーディング・アンプ１８は、Ｘ入力音声ワード分割部１８−１と、Ｙ入力音声ワード分割部１８−２と、映像用ＦＡ処理部１８−３と、音声ワード再構成部１８−４と、音声抽出・重畳処理部１８−５、１８−６とを備えている。このうち、音声抽出・重畳処理部１８−５は、Ｘ系統の番組素材信号を所定時間出力保持するバッファを備えており、このバッファに保持された番組素材信号中から音声信号を抽出してＸ入力音声ワード分割部１８−１に供給し、Ｘ入力音声ワード分割部１８−１からの出力をバッファに保持された番組素材信号中に重畳して映像用ＦＡ処理部１８−３に出力する。
【００３０】
音声抽出・重畳処理部１８−６は、Ｙ系統の番組素材信号を所定時間出力保持するバッファを備えており、このバッファに保持された番組素材信号中から音声信号を抽出してＹ入力音声ワード分割部１８−２に供給し、Ｙ入力音声ワード分割部１８−２からの出力をバッファに保持された番組素材信号中に重畳して映像用ＦＡ処理部１８−３に出力する。
【００３１】
Ｘ入力音声ワード分割部１８−１は、音声抽出・重畳処理部１８−５から出力されるＸ系統の音声信号を、音声分離／サブワード分割回路２１によって、互いにｐ（ｐは自然数）ビットのｎ（ｎは自然数）サブワードに分割し、サブワード直列化回路２２により直列データに変換した後、音声抽出・重畳処理部１８−５に出力する。
【００３２】
Ｙ入力音声ワード分割部１８−２は、上記Ｘ入力音声ワード分割部１８−１と同様に、音声抽出・重畳処理部１８−６から出力されるＹ系統の音声信号を、音声分離／サブワード分割回路３１によって、互いにｐビットの複数サブワードに分割し、サブワード直列化回路３２により直列データに変換した後、音声抽出・重畳処理部１８−６に出力する。
【００３３】
映像用ＦＡ処理部１８−３は、減算器４１と、乗算器４２と、フィルタ４３と、加算器４４と、フィルタ４５と、遅延補償器４６とを備えている。
【００３４】
減算器４１は、Ｘ系統の番組素材信号からＹ系統の番組素材信号を減算し、その減算値を乗算器４２に出力する。乗算器４２は、減算器４１の出力値に制御係数を乗算してフィルタ４３に出力する。フィルタ４３は、乗算器４２の出力値から少数点以上の値を通すことによりｎサブワードのそれぞれに関する第１参照値を生成し、これら第１参照値を加算器４４に出力する。加算器４４は、第１参照値と遅延補償器４６から出力される第２参照値とを加算し、その加算値をフィルタ４５及び音声ワード再構成部１８−４に出力する。フィルタ４５は、加算器４４の出力値から少数点以上の値のみを通すことにより、送出信号を生成して映像エンコーダ１３に出力する。
【００３５】
遅延補償器４６は、Ｙ系統の番組素材信号を入力し、減算器４１、乗算器４２及びフィルタ４３の総処理時間相当の遅延時間で入力信号を遅延することにより、第２参照値を生成して加算器４４に出力する。
【００３６】
音声ワード再構成部１８−４は、上記加算器４４の出力値から、音声部ゲード回路５１により音声のサブワードのみを抽出し、サブワード並列化回路５２によって並列化された後、積和演算回路５３によって、並列化されたｎサブワードに該サブワードに応じて定まる桁乗数を乗算してｎサブワードのそれぞれに関する第３参照値を算出し、これら第３参照値の総和を求めることで元のビット構成の音声信号を再構成し、音声エンコーダ１４に出力する。
【００３７】
次に以上のように構成されたフェーディング・アンプ１８の動作につき説明する。
なおここでは、図３（ａ）に示すように、映像信号のライン毎にＡＥＳ／ＥＢＵ規格による１６〜２４ビットの音声信号が重畳された番組素材信号を取り扱うこととして動作を説明する。
【００３８】
スイッチャー１１から出力されるＸ系統の番組素材信号及びＹ系統の番組素材信号は、それぞれＸ入力音声ワード分割部１８−１及びＹ入力音声ワード分割部１８−２によって音声信号が抽出され、図３（ｂ）に示すようなｐビットのｎサブワードに分割された後、この出力信号が番組素材信号に再び重畳されて減算器４１にそれぞれ入力される。
【００３９】
減算器４１では、Ｘ系統の番組素材信号からＹ系統の番組素材信号が減算され、その減算値が乗算器４２に与えられる。乗算器４２では、減算値に番組素材送出制御装置１２により与えられる制御係数ｋが乗算される。この制御係数ｋは、０〜１の範囲で可変され、終了する番組素材信号には１〜０と徐々に信号レベルを減衰させるように設定され、開始する番組素材信号には０〜１と徐々に信号レベルを増大させるように設定される。
【００４０】
この乗算器４２の出力値は、フィルタ４３を通過することによりｎサブワードのそれぞれに関する第１参照値に生成され、加算器４４に入力される。加算器４４では、入力された第１参照値と、Ｙ系統の番組素材信号が遅延補償器４６によって第１参照値との時間差をなくすように遅延された第２参照値とが加算される。この加算値は、フィルタ４５を通過することにより、映像信号に生成される。この映像信号は、下記に示す関係を満たす。
ｋｘ＋（１−ｋ）ｙ＝ｋ（ｘ−ｙ）＋ｙ
なお、ｘはＸ系統の番組素材信号を示し、ｙはＹ系統の番組素材信号を示す。
【００４１】
一方、加算器４４の出力値は、音声ワード再構成部１８−４の音声部ゲート回路５１によって、音声のサブワードのみが抽出され、これらサブワードがサブワード並列化回路５２によって並列化された後、積和演算回路５３に入力される。積和演算回路５３では、入力されたｎサブワードのそれぞれに当該サブワードに応じて定まる桁乗数を乗算してｎサブワードのそれぞれに関する第３参照値が算出され、これら第３参照値の総和が求められることにより、元のビット構成の音声信号が生成される。
【００４２】
すなわち、音声ワード再構成部１８−４の出力は、下記のようになる。
0004481520.tif 000002
なお、ｋ・Ｓ１、ｋ・２ｐ・Ｓ２、…ｋ・２ｎｐ・Ｓｎは、サブワードのそれぞれに関する第３参照値である。
【００４３】
以上のようにこの第１の実施形態では、各系統の番組素材信号中の音声信号をＸ入力音声ワード分割部１８−１及びＹ入力音声ワード分割部１８−２によって規定ビット数内で特定したｐビットのｎサブワードに分割しておくようにする。そして、Ｘ系統の番組素材信号からＹ系統の番組素材信号を減算器４１によって減算し、この減算出力に系統切替信号に応じて定まる制御係数を乗算器４２によって乗算してフィルタ４３を通すことによりｎサブワードのそれぞれに関する第１参照値を求め、これら第１参照値と遅延補償器４６によりＹ系統の番組素材信号から求められたｎサブワードのそれぞれに関する第２参照値とを加算器４４によって加算しフィルタ４５に通すことで、切替前と切替後とで綺麗につながり、情報に乱れを生じさせない映像信号が生成される。続いて、音声ワード再構成部１８−４により、加算器４４の加算値にサブワードに応じて定まる桁乗数を乗算した複数サブワードのそれぞれに関する第３参照値を求め、これら第３参照値の総和を求めることにより、元のビット構成の音声信号が生成される。
【００４４】
従って、映像信号と音声信号とで１つのフェーディング・アンプ１８を共用することができ、しかも映像信号及び音声信号を重畳した番組素材信号をそのままフェーディング・アンプ１８に入力するだけで、映像と音声とを個別にフェーディング処理することができる。よって、システム構成を簡素化でき、しかも低コスト化及び信頼性の向上を図ることができる。
【００４５】
なお、上記第１の実施形態において、映像と音声とはそれぞれ別の期間内で処理されるため、制御係数ｋにおいても、図３（ｃ）に示すように、映像音声各期間で時分割で切り替え、別々の係数を設定制御することも可能である。
【００４６】
（第２の実施形態）
この実施形態は、図１におけるフェーディング・アンプ１８に関するものである。
【００４７】
図４は、この第２の実施形態におけるフェーディング・アンプ１８の具体的な構成を示すブロック図である。なお、図４において、上記図２と同一部分には同一符号を付して、その詳細な説明を省略する。
【００４８】
すなわち、この第２の実施形態に係るフェーディング・アンプ１８は、無効データ発生器６１と、入力切替器６２、６３と、自動レベル制御装置（ＡＬＣ）６４と、切替器６５と、反転回路６６と、切替器６７と、切替制御器６８、６９と、加算器７０とをさらに備えている。
【００４９】
無効データ発生器６１は、黒味や無音等の無効データを発生する。
【００５０】
入力切替器６２は、スイッチャー１１から出力される番組素材信号と無効データ発生器６１から出力される無効データとをＸ系統に選択的に導出する。
【００５１】
入力切替器６３は、スイッチャー１１から出力される番組素材信号と無効データ発生器６１から出力される無効データとをＹ系統に選択的に導出する。
【００５２】
自動レベル制御装置６４は、音声信号の信号レベルを一定レベルに維持するように自動調整する。
【００５３】
切替器６５は、音声抽出・重畳処理部１８−５から出力されるＸ系統の音声信号と音声抽出・重畳処理部１８−６から出力されるＹ系統の音声信号とを自動レベル制御装置６４に選択的に導出する。
【００５４】
反転回路６６は、自動レベル制御装置６４で得られる補正係数の反転値を生成する。
【００５５】
切替器６７は、自動レベル制御装置６４の出力と反転回路６６の出力とを選択的に導出する。
【００５６】
切替制御器６８は、入力切替器６２、６３の接続を、番組素材送出制御装置１２から与えられる切替信号に応じて切替制御する。
【００５７】
切替制御器６９は、切替器６５、６７の接続を、番組素材送出制御装置１２から与えられる切替信号に応じて切替制御する。
【００５８】
加算器７０は、切替器６７により導出された補正係数と番組素材送出制御装置１２から与えられるフェーダー制御係数とを加算して、その加算値を乗算器４２に与える。
【００５９】
次に以上のように構成されたフェーディング・アンプ１８の動作につき説明する。
フェーディング・アンプ１８に入力される音声信号のレベルは、制作あるいは伝送段階で生じる各種偏差のため、信号レベルは常に一定ではない。一方、放送番組として送出する場合、一定の許容振幅を超えないことが要求されるため、放送送出設備出力において、上記自動レベル制御装置６４が使用されることになる。この自動レベル制御装置６４は、信号レベルを常時計測し、振幅を一定に保つように信号レベルに制御を加えているものである。
【００６０】
そこで、この第２の実施形態では、自動レベル制御装置６４で得られた補正係数を、加算器７０によって、乗算器４２に与える制御係数に加えることにより、出力音声のレベルを一定レベルに制御することが可能となる。ただし、これは、番組素材信号の切り替えやフェーディング処理を行なわない一定音声振幅を必要とする定常期間だけに動作期間を限定する必要がある。これは、番組素材送出制御装置１２からの番組運行プログラムに従って、回路動作形態に制御を加えることにより実現できる。
【００６１】
すなわち、定常期間においては、入力切替器６２、６３の接続を、ＳＷ１＝Ａ、ＳＷ２＝ＤあるいはＳＷ１＝Ｂ、ＳＷ２＝Ｃのいずれかに設定し、また前者の場合にフェーダー制御係数ｋ＝１に設定し、後者の場合にｋ＝０に設定するようにしている。また、前者の場合、切替器６５の接続を、ＳＷ３＝Ｅに設定し、切替器６７の接続を、ＳＷ４＝Ｇに設定する。これにより、自動レベル制御装置６４の出力から補正係数−ｋ１が得られ、この補正係数−ｋ１は、加算器７０によって、フェーダー係数ｋ＝１に加算され、この結果１−ｋ１となってＸ系統の音声信号に対応する信号レベルが制御される。一方、Ｙ系統入力に対しては、ｋ１に相当するレベルを発生するが、入力切替器６３は無効データ発生器６１の出力を選択しているため、実際には出力されない。
【００６２】
従って、Ｘ系統の音声信号のみが自動レベル制御装置６４によって信号レベル制御されることになる。また、入力切替器６３の接続がＳＷ２＝Ｃに設定されている場合にも、上記と同様の手順に従って、Ｙ系統の音声信号のみが自動レベル制御装置６４によって信号レベル制御されることになる。
【００６３】
以上のように第２の実施形態では、自動レベル制御装置６４を備える場合に、運用系統側の音声信号を切替器６５により自動レベル制御装置６４に入力し、この自動レベル制御装置６４の出力から反転回路６６及び切替器６７を使用して運用系統に対応する補正係数を生成して、乗算器４２に与える制御係数に加えることにより、出力音声信号のレベルを一定に制御するようにしている。それとともに、Ｘ系統運用時に、Ｘ系統に番組素材信号を入力し、Ｙ系統に黒味もしくは無音等の無効データを入力するようにし、Ｙ系統への切り替え時に、Ｙ系統に番組素材信号を入力し、Ｘ系統に無効データを入力するように入力切替器６２、６３を切替制御している。
【００６４】
従って、他の系統による影響を受けることなく、運用系統側の番組素材信号中の音声信号のみに対し、自動レベル制御装置６４による信号レベル制御を施すことができる。
【００６５】
また、この第２の実施形態では、自動レベル制御装置６４を使用していることにより、運用系統側の音声信号に対し、常に信号レベルを一定に維持しておくことが可能となり、これにより信頼性の高いシステムを実現できる。
【００６６】
（その他の実施形態）
この発明は、上記各実施形態に限定されるものではない。例えば上記第１の実施形態において、第２の実施形態で備えられる無効データ発生器６１と、入力切替器６２、６３と、切替制御器６８とを設けておくようにしてもよい。この場合、Ｘ系統運用時に、Ｘ系統に番組素材信号を入力し、Ｙ系統に黒味もしくは無音等の無効データを入力するようにし、Ｙ系統への切り替え時に、Ｙ系統に番組素材信号を入力し、Ｘ系統に無効データを入力するように入力切替器６２、６３を切替制御すればよい。
【００６７】
このようにすれば、他の系統による影響を受けることなくフェーディング処理動作を続けることができる。
【００６８】
また、上記各実施形態では、映像信号及び音声信号を重畳した番組素材信号を取り扱う例について説明したが、例えば映像信号及びデータ信号を重畳した番組素材信号や音声信号及びデータ信号を重畳した番組素材信号を取り扱うようにしても実施可能であることはもちろんである。
【００６９】
その他、システム構成、フェーディング・アンプの構成、取り扱う映像信号及び音声信号の種類等についても、この発明の要旨を逸脱しない範囲で種々変形して実施できる。
【００７０】
【発明の効果】
以上詳述したようにこの発明によれば、映像信号中に音声信号を重畳したデジタル放送の番組情報信号に対し映像信号と音声信号とに分離すること無しに番組切替や情報差し替えに応じた信号レベル調整を行なうことが可能で、しかもシステムの低コスト化を図ることが可能なデジタル放送番組情報処理装置を提供することができる。
【図面の簡単な説明】
【図１】この発明のデジタル放送番組情報処理装置を備えたデジタル放送局内システムの要部構成を示すブロック図。
【図２】この発明に係るデジタル放送番組情報処理装置の第１の実施形態として、フェーディング・アンプの具体的な構成を示すブロック図。
【図３】図２に示したフェーディング・アンプの処理動作を説明するために示す図。
【図４】この発明に係るデジタル放送番組情報処理装置の第２の実施形態として、フェーディング・アンプの具体的な構成を示すブロック図。
【符号の説明】
１１…スイッチャー（ＳＷ）、
１２…番組素材送出制御装置（ＡＰＣ）、
１３…映像エンコーダ（映像ＥＮＣ）、
１４…音声エンコーダ（音声ＥＮＣ）、
１５…マルチプレクサ（ＭＵＸ）、
１６…多重制御装置（ＳＣＳ）、
１７…データサーバ（ＤＳ）、
１８…フェーディング・アンプ（ＦＡ）、
１８−１…Ｘ入力音声ワード分割部、
１８−２…Ｙ入力音声ワード分割部、
１８−３…映像用ＦＡ処理部、
１８−４…音声ワード再構成部、
１８−５…音声抽出・重畳処理部、
１８−６…音声抽出・重畳処理部、
２１、３１…音声分離／サブワード分割回路、
２２、３２…サブワード直列化回路、
４１…減算器、
４２…乗算器、
４３、４５…フィルタ、
４４…加算器、
４６…遅延補償器、
５１…音声部ゲード回路、
５２…サブワード並列化回路、
５３…積和演算回路、
６１…無効データ発生器、
６２、６３…入力切替器、
６４…自動レベル制御装置（ＡＬＣ）、
６５、６７…切替器、
６６…反転回路、
６８、６９…切替制御器、
７０…加算器。
【図１】
0004481520.tif 000003
【図２】
0004481520.tif 000004
【図３】
0004481520.tif 000005
【図４】
0004481520.tif 000006